(57)【特許請求の範囲】
【請求項１】
脚棒部を有する底面部と、該底面部の周囲に回動可能に係止した第１及び第２の側枠部とから構成され、
一対から成り、対向する前記第１の側枠部と、一対から成り、対向する前記第２の側枠部とは、組立て時の高さが一致し、互いが前記底面部に対し直角状になるように前記底面部に回動可能に係止されている折り畳み式水切りラックであって、
前記第１の側枠部は、平行する第１の側辺部間を掛け渡す引掛部を備え、該引掛部は前記第１の側辺部から左右へ突出し、先端が屈曲する端部を備え、
前記第２の側枠部は、平行する第２の側辺部間を掛け渡すガイド棒部を備え、該ガイド棒部は両端から逆Ｖ字状の係止部と、該係止部の先端間に、前記平行する第２の側辺部間で形成する面に対して直交するように連結した台形状の掛渡棒部とを含むことを特徴とする折り畳み式水切りラック。
【請求項２】
前記第１及び第２の側枠部が折り畳まれた状態から、前記第２の側枠部を起立した後に、前記第１の側枠部を起立される場合に、前記引掛部の端部は、前記第１の側枠部の水平状へ張り出した前記掛渡棒部の内側を通り抜けて、前記係止部に当接することを特徴とする請求項１に記載の折り畳み式水切りラック。
【請求項３】
前記係止部に当接した端部が係止部の頂部を乗り越えることで、組立てた状態となることを特徴とする請求項２に記載の折り畳み式水切りラック。
【請求項４】
前記底面部は、平行する一対の前記脚棒部の両端部間を掛け渡す一対の長辺部を備え、該長辺部の両端は直角状に起立しており、先端はリング状に屈曲したリング部を備えており、
前記第２の側枠部は前記リング部に挿通した固定部を軸にして回動することを特徴とする請求項１〜３の何れか１項に記載の折り畳み式水切りラック。
【請求項５】
前記固定部は前記第２の側辺部の端部から連続し、直角状に内側に延在しており、
前記固定部と連続し、前記第２の側辺部と平行する方向へ直角状に延在する先端部が、前記長辺部に当接することで前記第２の側枠部の外側への回動を規制することを特徴する請求項４に記載の折り畳み式水切りラック。
【発明の詳細な説明】
【技術分野】
【０００１】
本発明は、台所等に設置し、洗浄した食器等の水切りをする金属製の折り畳み式水切りラックに関するものである。
【背景技術】
【０００２】
台所に設置し、洗浄した食器等の水切りを行うために、金属棒を組立てて成る水切りラックは、一般的な構造として箱形状をしており、空気の通りが良く、水切りを良くするように金属棒の間隔を大きくしている。この種の水切りラックは嵩張るために、運搬時や不使用時に折り畳みが可能なものが存在する。
【０００３】
特許文献１には、折り畳み可能な水切りラックであって、長方形の底板の各辺に連結する側面板を起立させることで、組立可能な水切りラックが開示されている。この特許文献１の水切りラックは、最初に底板の短辺に連結した一対の短側面を起立させ、続いて底板の長辺に連結した一対の長側面を起立させる。そして、最後に短側面の角部に設けた環状部材に、長側面の角部に設けた鉤状部材を引っ掛けることで固定することにより、組立てた状態となる。
【先行技術文献】
【特許文献】
【０００４】
【特許文献１】特開２００４−４１６６４号公報
【発明の概要】
【発明が解決しようとする課題】
【０００５】
しかし、特許文献１の従来の折り畳み式水切りラックは、一対の短側面の起立した状態を維持したまま、長側面を起立しなければならず、両手だけで素早く組立てることができないという問題がある。
【０００６】
また、狭い台所において組立てる際に、台所面に対して底板の長辺方向の作業以外に、底板の短辺方向に対して十分に作業するだけのスペースを確保しなければならない。
【０００７】
本発明の目的は、上述の課題を解消し、狭い場所であっても簡便に組立て得る金属製の折り畳み式水切りラックを提供することにある。
【課題を解決するための手段】
【０００８】
上記目的を達成するための本発明に係る折り畳み式水切りラックは、  脚棒部を有する底面部と、該底面部の周囲に回動可能に係止した第１及び第２の側枠部とから構成され、一対から成り、対向する前記第１の側枠部と、一対から成り、対向する前記第２の側枠部とは、組立て時の高さが一致し、互いが前記底面部に対し直角状になるように前記底面部に回動可能に係止されている折り畳み式水切りラックであって、前記第１の側枠部は、平行する第１の側辺部間を掛け渡す引掛部を備え、該引掛部は前記第１の側辺部から左右へ突出し、先端が屈曲する端部を備え、前記第２の側枠部は、平行する第２の側辺部間を掛け渡すガイド棒部を備え、該ガイド棒部は両端から逆Ｖ字状の係止部と、該係止部の先端間に、前記平行する第２の側辺部間で形成する面に対して直交するように連結した台形状の掛渡棒部とを含むことを特徴とする。
【発明の効果】
【０００９】
本発明に係る折り畳み式水切りラックは、一対から成る第１の側枠部を起立させた後に、一対から成る第２の側枠部を起立させるだけで簡便に組立てることができる。
【００１０】
また、組み立てた状態で、水平方向から多少の衝撃を受けたとしても、不時に折り畳まれることがない。そして、組立てと逆の手順で作業を行うことで、簡単に折り畳むこともできる。
【図面の簡単な説明】
【００１１】
【図１】組立てた状態の折り畳み式水切りラックの斜視図である。
【図２】組立てた状態の側面図である。
【図３】組立てた状態の一部拡大斜視図である。
【図４】折り畳んだ状態の斜視図である。
【図５】長側枠部を起立した状態の組立て途中の斜視図である。
【図６】短側枠部を起立させる途中の状態の斜視図である。
【発明を実施するための形態】
【００１２】
本発明を図示の実施例に基づいて詳細に説明する。
図１は折り畳み式水切りラック１を組立てた状態の斜視図、図２は側面図、図３は図１の斜視図の手前角部を拡大した拡大斜視図である。
【００１３】
折り畳み式水切りラック１はアルミニウムやステンレス等の直径２．５〜５ｍｍの金属棒体を適宜に折曲、溶接して組合わせて成っている。水切りラック１の組立時の大きさは、縦２０ｃｍ、横３０ｃｍ、高さ１０ｃｍ程度であり、台所のスペースに応じて、適宜のサイズのものを選択することが好ましい。
【００１４】
水切りラック１は脚棒部を有する底面部２と、この底面部２の周囲に回動可能に係止したそれぞれ一対ずつの短側枠部３及び長側枠部４とから構成されている。一対から成り、対向する短側枠部３と、一対から成り、対向する長側枠部４とは、組立て時の高さが略一致し、互いが底面部２に対し直角状になるように底面部２に回動可能に係止されている。
【００１５】
また、図１及び図２に示すように、水切りラック１を組立てた状態では、一対の短側枠部３は側面から見て逆八字状になるように対向して起立している。
【００１６】
底面部２は、平行する一対の脚棒部２ａ、２ｂと、これらの脚棒部２ａ、２ｂの両端部間を掛け渡す一対の長辺部２ｄと、これらの長辺部２ｄ間にあって、脚棒部２ａ、２ｂ間を長辺部２ｄと平行して掛け渡す多数本の水切棒２ｃとを備えている。これらの水切棒２ｃは等間隔に配置されている。
【００１７】
脚棒部２ａ、２ｂは主棒部２ｅと、この主棒部２ｅの両端から直角状に下方に延在する脚片部２ｆとから成り、水切棒２ｃには、主棒部２ｅと平行し水切棒２ｃの略中央を横切る補強棒２ｉが設けられている。長辺部２ｄの両端は、直角状に起立し、更に上端にはリング状に屈曲したリング部２ｇが形成されており、長辺部２ｄの中央部には、皿等の滑りを防止するための台形状の止め棒２ｈが取り付けられている。
【００１８】
短側枠部３は、上辺部３ａと、この上辺部３ａの両端から直角状に下方に延在する側辺部３ｂ、３ｃと、これらの平行する側辺部３ｂ、３ｃ間を掛け渡す引掛部３ｄと、引掛部３ｄと平行し側辺部３ｂ間を掛け渡す補強部３ｅとから成っている。
【００１９】
側辺部３ｂ、３ｃの先端には、リング状に屈曲したリング部３ｆがそれぞれ形成されており、これらの一対のリング部３ｆに主棒部２ｅがそれぞれ挿通している。また、リング部３ｆは主棒部２ｅの長辺部２ｄと、隣接する水切棒２ｃとの中間位置の主棒部２ｅに係止されている。
【００２０】
上辺部３ａよりも長い引掛部３ｄは、側辺部３ｂ、３ｃから左右へ突出する端部３ｇを備え、これらの端部３ｇの先端は側辺部３ｂが延在する下方向に屈曲している。そして、これらの屈曲個所には、合成樹脂製のクッション材３ｈがそれぞれ挿通されている。
【００２１】
長側枠部４は、長辺部２ｄよりも若干長い上辺部４ａと、この上辺部４ａの両端から直角状に下方に延在する側辺部４ｂ、４ｃと、これらの側辺部４ｂ、４ｃの端部から連続し、上辺部４ａと平行するように直角状に内側に延在する固定部４ｄと、更にこれらの固定部４ｄと連続し、側辺部４ｂ、４ｃと平行する下方向に直角状に延在する先端部４ｅとを備えている。
【００２２】
固定部４ｄは長辺部２ｄのリング部２ｇに挿通しており、先端部４ｅの長さを長辺部２ｄから起立するリング部２ｇの長さよりも長くなっている。所定の長さの先端部４ｅを設けることで、組み立てに際して先端部４ｅが長辺部２ｄに当接することで回動が規制され、９０度以上外側に長側枠部４が回動することはない。
【００２３】
平行する側辺部４ｂ、４ｃ間には、これらを掛け渡すガイド棒部４ｆが設けられている。このガイド棒部４ｆは両端から逆Ｖ字状の係止部４ｇと、この係止部４ｇの先端から上辺部４ａに平行して延在する平行棒部４ｈとを有しており、更に平行棒部４ｈの先端間は外側に張り出す台形状の掛渡棒部４ｉにより連結されている。
【００２４】
この台形状の掛渡棒部４ｉは、平行する側辺部４ｂ、４ｃ間で形成する面に対して直交するように配置されている。なお実施例では、平行棒部４ｈを設けているが、平行棒部４ｈを設けずに係止部４ｇの先端間に掛渡棒部４ｉを配置するようにしても支障はない。
【００２５】
長側枠部４におけるガイド棒部４ｆの取り付け位置及び短側枠部３における引掛部３ｄの取り付け位置は、組立てたときに短側枠部３の端部３ｇが係止部４ｇを乗り越えて係止される程度の位置にそれぞれ固定されている。
【００２６】
図４〜図６は水切りラック１の組立て手順の説明図であり、図４は折り畳んだ状態の斜視図、図５は長側枠部４を起立した状態の組立て途中の斜視図、図６は短側枠部３を起立させる途中の状態の斜視図である。
【００２７】
図４に示すように水切りラック１は、内側に折り畳んだ短側枠部３上に長側枠部４が重なるように内側に折り畳まれている。組立てに際しては、先ず対向して折り畳まれた長側枠部４を外側に開くようにして引き起こす。
【００２８】
長側枠部４はリング部２ｇに挿通した固定部４ｄを軸にして回動し、前述のように先端部４ｅが長辺部２ｄにより外側への回動を規制されることで、図５に示す長側枠部４の起立状態が保持される。また、折り畳み時に垂直方向に張り出していた掛渡棒部４ｉは、長側枠部４が起立すると同時に水平方向に張り出すことになる。
【００２９】
次に、長側枠部４と同様に、対向して折り畳まれた短側枠部３を外側に開くようにして引き起こすと、短側枠部３はリング部３ｆに挿通した主棒部２ｅを軸にして回動を開始する。
【００３０】
長側枠部４を起立したときに、底面部２１を介して対向する係止部４ｇ間の長さよりも、引掛部３ｄの長さは若干長く、対向する掛渡棒部４ｉの張り出した個所間の長さより、引掛部３ｄの長さは若干短くしてある。
【００３１】
そして、引掛部３ｄの端部３ｇは、短側枠部３の起立動作に応じて水平状に張り出した掛渡棒部４ｉの内側を通り抜けて、図６に示すようにクッション材３ｈが係止部４ｇに当接する。
【００３２】
なお、掛渡棒部４ｉが台形状ではなく直線である場合では、端部３ｇが掛渡棒部４ｉに引っ掛かってしまい、短側枠部３を起立させることができないが、掛渡棒部４ｉを台形状にすることで、端部３ｇが引っ掛かることなく内側を通り抜けて短側枠部３を起立させることができる。
【００３３】
最後に係止部４ｇに当接した短側枠部３を更に引き起こすと、逆Ｖ字状の係止部４ｇの頂部を端部３ｇが乗り越えて、図１に示すように水切りラック１の組立てた状態となる。この際に、端部３ｇに設けたクッション材３ｈにより、端部３ｇと係止部４ｇとの接触による摩耗等から保護されることになる。
【００３４】
端部３ｇが係止部４ｇを乗り越えることで形状が保持されることになる。従って、水切りラックは水平方向からの衝撃を受けることが多いが、本実施例の水切りラック１が水平方向からの多少の衝撃を受けたとしても、係止部４ｇから端部３ｇが外れることはなく、不時に折り畳まれるようなことはない。
【００３５】
折り畳む際には、逆の手順、つまり図１の状態から強い力で短側枠部３を内側へ押すと、保持した形状が解除され、図６、図５、図４の手順で、折り畳むことができる。このように、組立て、折り畳み作業が容易であり、素早く組立て、折り畳むことが可能である。
【符号の説明】
【００３６】
１  折り畳み式水切りラック
２  底面部
２ａ、２ｂ  脚棒部
２ｄ  長辺部
２ｇ  リング部
３  短側枠部
３ｂ、３ｃ、４ｂ、４ｃ  側辺部
３ｄ  引掛部
３ｇ  端部
３ｈ  クッション材
４  長側枠部
４ｄ  固定部
４ｅ  先端部
４ｆ  ガイド棒部
４ｇ  係止部
４ｉ  掛渡棒部
【図１】
0006543163.tif 000002
【図２】
0006543163.tif 000003
【図３】
0006543163.tif 000004
【図４】
0006543163.tif 000005
【図５】
0006543163.tif 000006
【図６】
0006543163.tif 000007